(57)【要約】【課題】顧客がトレーにのせたパンなどの被包装物をそのまま包装する包装袋において、開口部の閉鎖が容易であるうえに開口部の不測の開口をなくし、パンなどの乾燥も防げるようにする。【解決手段】被包装物４１をのせたトレー５１を収容する偏平な袋本体２１の上面に、帯状の提げ手３１が設けられた包装袋１１であって、袋本体２１におけるトレー出し入れ用の開口部２２に、開口部を開閉可能にすべく、密閉性を有する再開閉可能な合成樹脂製のチャック２８が設けられた包装袋１１。【選択図】図１
0003138254.tif 000002
【実用新案登録請求の範囲】
【請求項１】
被包装物をのせたトレーを収容する偏平な袋本体の上面に、帯状の提げ手が設けられた包装袋であって、
上記袋本体におけるトレー出し入れ用の開口部に、該開口部を閉鎖可能にすべく、密閉性を有する再開閉可能な合成樹脂製のチャックが設けられた
包装袋。
【請求項２】
前記トレーとして成形品からなるものが備えられる
請求項１に記載の包装袋。
【請求項３】
前記トレーが、非木材繊維からなるものである
請求項２に記載の包装袋。
【考案の詳細な説明】
【技術分野】
【０００１】
この考案は、包装に際して積み重ねないほうが好ましい物品、たとえばサンドイッチやパン、ホットドッグなどのような個々の被包装物を包装するのに適した包装袋に関する。
【背景技術】
【０００２】
上記のような包装袋として、下記特許文献１のようなものを案出した。これは、サンドイッチやパンなどをのせたトレーを収容する偏平な袋本体の上面に、帯状の提げ手が設けられた包装袋である。
【０００３】
この包装袋によれば、パンなどを購入しようとする顧客にトレーを付与し、このトレーにパンなどをのせてレジまで運んできてもらい、そのトレーをそのまま包装袋に入れて包装するという使い方ができる。そして、顧客に提げ手を持つように渡すと、提げ手とトレーとの間に比較的広い空間ができるので、トレー上のパンなどを潰すことなく持ち帰れるという、有益な包装袋であった。
【０００４】
しかし、トレーを出し入れする開口部は、フラップに設けられた粘着剤層の粘着力によって閉じるというものであった。
【０００５】
【特許文献１】登録実用新案弟３１３５７４２号公報
【考案の開示】
【考案が解決しようとする課題】
【０００６】
このため、次のような問題があった。  
袋本体に収容されたトレーは、傾けて提げられたとき、またパンなどが偏ったときに袋本体内で移動する可能性があるが、このようなときであってトレーが袋本体の開口部に当たった場合には、開口部に負荷がかかる。ところが、この開口部を閉じているのは粘着剤層による粘着力だけであるので、場合によっては不測に開いてしまうおそれがある。すなわち、開口部の閉鎖作業は、金銭のやり取りや商品説明などをするレジでの慌しい状況の中で行われるため、粘着を完全にするための押し付けが不十分であるという簡単なミスが起こりやすい。そのほかにも、たとえば手が濡れていたり、手に油分が付着していたりするよくある場合などに、粘着剤層に水や油分がついて開口部の閉鎖が不完全になることもある。
【０００７】
また、トレーには平板状の紙を裁断して組み立てたものが使用されているため、外力がアンバランスにかかったときに変形しやすく、上記のような移動が起こりやすい。
【０００８】
さらに、販売に際しては裸のパンを改めて小袋に入れずに持ち帰ってもらうことができるが、開口部の閉鎖が粘着剤層による貼り付けで行われているので、どうしても開口部には隙間がある。このため、乾燥しやすいという問題があった。特に、購入後に冷蔵庫に入れるような場合には、乾燥がはなはだしい。
【０００９】
そこで、この考案は、開口部の閉鎖が容易であるうえに開口部の不測の開口をなくし、パンなどの乾燥も防げるようにすることを目的とする。
【課題を解決するための手段】
【００１０】
そのための手段は、被包装物をのせたトレーを収容する偏平な袋本体の上面に、帯状の提げ手が設けられた包装袋であって、上記袋本体におけるトレー出し入れ用の開口部に、該開口部を閉鎖可能にすべく、密閉性を有する再開閉可能な合成樹脂製のチャックが設けられた包装袋である。
【００１１】
被包装物の包装は、トレーを袋本体の開口部から袋本体内に入れてから、開口部のチャックを閉じるだけでよい。チャックは、開口部を合わせて端から順に押圧すれば閉鎖でき、密閉性が保たれる。また、閉じた状態は、傾いて移動したトレーが当たったくらいでは外れない強力なものである。さらに、閉じるに際して作業者の手が濡れていたり手に油分が付着したりしても確実に閉鎖が行われる。
【００１２】
ここで、上記の構成について、たとえば次のような態様に構成できる。  
その態様のひとつは、上記トレーとして成形品からなるものが備えられる包装袋である。トレーは成形品であるため、ねじれたりするような変形は起きにくく、袋本体内での安定性が保たれ、不必要な移動が抑制される。
【００１３】
このようなトレーには、たとえば葦などの非木材繊維からなるものを使用するとよい。袋本体が合成樹脂製の場合でも、袋本体との間で摩擦抵抗を生じさせることが可能である。
【考案の効果】
【００１４】
以上のように、この考案によれば、開口部がチャックにより閉鎖される構成であるので、不測に開いてしまうことのない強固な閉鎖ができる。このため、内部のトレーが移動してチャック部分に当たった程度では外れないようにすることができる。
【００１５】
また、閉鎖作業は簡単であるので、慌しい状況の中でも確実に閉鎖できるとともに、作業員の手が水でぬれていたり油分で汚れていたりした場合でも、確実に閉鎖できる。そのうえ、従来のように離型紙が不要であるので、閉鎖作業においての離型紙の剥離や剥離後の離型紙の処分が容易となる。
【００１６】
さらに、チャックの閉鎖により密閉性が保てるので、被包装物の乾燥を防ぐことができる。その上、閉鎖に際して袋本体内に空気を、受動的あるいは能動的に入れることによって、袋本体を膨らませることができ、この膨らみによって内部の被包装物を潰れないように保護することも可能となる。
【００１７】
また、成形品からなるトレーは、従来のように平板状の紙を裁断して組み立てたものに比して形態安定性がよく、外力がアンバランスにかかったときであっても変形しにくく、袋本体内での不必要な移動は起こりにくい。このため、開口部の強力な閉鎖力と相俟って、開口部の閉鎖状態を確保できる。トレーとして、非木材繊維製のものを使用すれば、再使用、再利用せずに廃棄することが容易であるとともに、成形に際して底側の面に多数の凹凸を形成することによって、袋本体との間の摩擦抵抗を高め、袋本体内での安定性を向上できる。
【考案を実施するための最良の形態】
【００１８】
この考案を実施するための一形態を、以下図面を用いて説明する。  
図１は、包装袋１１の斜視図であり、この図に示すように包装袋１１は、袋本体２１の上面に帯状の提げ手３１を有する偏平な形態である。
【００１９】
この包装袋１１は、熱シールが可能で柔軟な合成樹脂シートを用いて構成され、袋本体２１の内部の収容部２１ａに、パンなどの被包装物４１をのせたトレー５１を収容して、被包装物４１を良好な状態のまま持ち帰れるようにしたものである。
【００２０】
トレー５１は平面視略方形状で、底板５２と、底板５２の周囲から立ち上がる側板５３と、この側板５３の上端から外周側下に向けて湾曲する上端縁５４とを有し、上面が開放された形態である。このトレー５１は、非木材繊維（たとえばケナフ、アバカ、サイザル、ジュート、亜麻、サトウキビ、麦わら、稲わら、パーム椰子、バナナ、葦、竹、エスパルト、雑草など）のうち葦を用いて製造されたもので、金型を用いて上記の形態に熱成形されて得られる。この成形に際して、キャビティ面に多数の凹凸が形成された雌型（図示せず）が使用され、図１に拡大して示したように、トレー５１の下面側には多数の凹凸５５が設けられている。
【００２１】
包装袋１１の袋本体２１は、トレー５１の平面視形状と略相似形状をなす平面視略方形状に形成されている。一端に、トレー出し入れ用の開口部２２を有し、この開口部２２を挟む両側の２辺２３，２３に、袋本体２１を構成する上面シート部２４と下面シート部２５とを閉鎖する熱シール部２６が形成されている。開口部２２の反対側に位置する奥側の辺２７は、一枚の合成樹脂シートからなる上面シート部２４と下面シート部２５との間に介在する折り曲げ線で構成される。
【００２２】
そして、開口部２２の若干奥まった位置に、互いに係合し合う雌部材および雄部材からなる再開閉可能な合成樹脂製のチャック２８が設けられている。
【００２３】
上記の提げ手３１は、上記の熱シール部２６によって固定される。すなわち、１本の提げ手３１の両端が熱シール部２６によって一体に固定されている。熱シール部２６はカットシール部２６ａで構成されるが、提げ手３１部分には、カットシール部２６ａの内側に隙間を隔てて平行に並ぶ適宜幅のべたシール部２６ｂも形成される。これらカットシール部２６ａとべたシール部２６ｂは同時に形成される。なお、図３に示したように提げ手３１は２本で構成するもよく、この場合には２本の提げ手３１，３１部分全体にわたってべたシール部２６ｂが形成される。提げ手３１部分においは２重にシールがなされるので強度が高く、持ち運び時の衝撃にも強い。
【００２４】
また、袋本体２１の熱シール部２６，２６間の寸法Ｌ１は、図２に示したように、トレー５１の平面視寸法よりも大きく、具体的には、トレー５１の底板５２の長さＬ２と、側板５３の長さＬ３を足した長さ（Ｌ２＋Ｌ３）以上の寸法に設定されている。
【００２５】
なお、図３に示したように、袋本体２１の奥側の辺２７には、内側に折り込まれてＶ字形をなす折り込み部２９を設けるもよい。この場合には、折り込み部２９の折り込み深さＬ４はトレー５１の高さＨよりも大きい値に設定する。
【００２６】
このように構成された包装袋１１は、パンなどの販売において次のように使用される。
【００２７】
トレー５１を店内の所定場所に置いて顧客に取らせる。顧客は、購入使用するパンなどをそのトレー５１にのせてレジまで運ぶ。レジでは、会計をするとともに、パンなどがのったトレー５１をそのまま包装袋１１の開口部２２から滑り込ませるようにして袋本体２１内に収容する。裸のパンがあってもそれを個別に小袋につめる必要はない。そして、収容した後で、開口部２２を合わせてからチャック２８を閉じる。最後に、収容部２１ａ内のトレー５１を偏りのない適宜位置に移動させるなどして提げ手３１を持つ。
【００２８】
なお、図３に示したように、折り込み部２９の折り込み深さＬ４をトレー５１の高さＨよりも大きい値に設定した場合には、袋本体２１内にトレー５１を収容するときに、図４に示したように折り込み部２９の先端２９ａ位置をトレー５１よりも上に維持することが可能で、折り込み部２９を単に厚みを出すためのものではなく、上面シート部２４を弛ませ、被包装物４１を保護するものとすることができる。
【００２９】
提げ手３１を持ったときには、図５、図６に示したように、トレー５１上の被包装物４１よりも上方に提げ手３１が位置するので、被包装物４１が荷重を受けない状態で運搬を行うことができる。具体的には、提げ手３１を持って提げると、提げ手３１の長さが袋本体２１の幅と同一ではあっても提げ手３１の下側には比較的広い空間ができるので持ちやすい。また、提げ手３１の両端３１ａがトレー５１の上端位置よりも上側に位置するので、図５、図６に示したように、袋本体２１の提げ手３１の両端３１ａ部分が上に引っ張られて、下面シート部２５が張った状態になる。その一方で、上面シート部２４は弛む。このため、上面シート部２４にはテンションがかからず、被包装物４１に対しては上面シート部２４が少なくともふわっと被さった状態になる。
【００３０】
また、開口部２２のチャック２８を閉じると密閉性が得られるので、開口部２２の閉鎖に際して収容部２１ａに空気が入るようにしたり、積極的に空気を入れたりすると、図６に示したように袋本体２１が膨らんだ状態になる。このように包装すると、内部にできた空気層によっても、被包装物４１が潰れないように積極的に保護することができることになる。
【００３１】
そのうえ、チャック２８は、開口部２２を合わせて端から順に押圧すれば閉じられるので、作業は簡単である。手が濡れていても、手に油がついていても作業できる。このため、忙しいレジでの作業にも適する。上述のようなトレー５１を使用しそのまま包装するという販売の流れと、小袋に対して行われる個別包装の省略とにより、レジでの作業の効率が大幅に向上する。しかも、チャック２８の場合には、粘着による閉鎖の場合とは異なり、閉鎖が不十分であれば一目で容易に認識できるので、確実性が高い。
【００３２】
また、チャック２８による閉鎖は強力に行えるので、持ち運び中にたとえトレー５１が移動し、チャック２８部分に荷重がかかっても、閉鎖状態を保持できる。このため、不測に開口部が開いてしまうこともない。
【００３３】
そして、開口部２２がチャック２８によって閉鎖されるので、密閉性を保つことができる。このため、被包装物４１の乾燥を防げ、たとえ冷蔵庫に入れた場合であっても、パンなどの被包装物４１をおいしい状態で食せるようにすることができる。
【００３４】
さらに、トレー５１は成形品であるため、ねじれたりするような変形は起きにくく、袋本体２１内での安定性が保たれ、不必要な移動が抑制される。このため、持ち運び中のトレーの移動や偏りが抑制でき、チャック２８にかかる負荷も軽減できる。しかも、そのトレー５１には葦からなる成形品を使用しているので、再使用、再利用せずに廃棄することが容易であるうえに、下面側の面に多数の凹凸５５が存在するので、発泡樹脂製のトレーに比して袋本体２１との間の摩擦抵抗が高まり、袋本体２１内での安定性を向上できる。
【００３５】
以上の説明はこの発明を実施するための一形態であって、この発明は上記の構成のみに限定されることはなく、その他の形態を作用することができる。
【００３６】
たとえば、チャックは、適宜間隔を隔てて２重に設けるもよい。
【図面の簡単な説明】
【００３７】
【図１】包装袋の斜視図。
【図２】包装袋の構造を示す説明図。
【図３】他の例に係る包装袋の構造を示す説明図。
【図４】図３に示した包装袋の作用状態の説明図。
【図５】作用状態の平面図。
【図６】作用状態の断面図。
【符号の説明】
【００３８】
１１…包装袋
２１…袋本体
２２…開口部
２８…チャック
３１…提げ手
４１…被包装物
５１…トレー
【図１】
0003138254.tif 000003
【図２】
0003138254.tif 000004
【図３】
0003138254.tif 000005
【図４】
0003138254.tif 000006
【図５】
0003138254.tif 000007
【図６】
0003138254.tif 000008